(57)【要約】      （修正有）【課題】本発明は、様々な出所から回収されて格納される紙幣を、その格納後においていずれの紙幣がいずれの出所から回収された紙幣かを容易に判別可能なように格納可能な現金処理装置を提供することを目的とする。【解決手段】本発明の媒体処理装置は、入金動作によって入金される媒体を搬送する入金搬送動作を行う搬送部と、前記搬送部によって搬送された媒体を収納する収納部と、前記入金搬送動作が終了したか否かと判定する入金終了判定部と、前記入金終了判定部は、前記入金搬送動作が終了したと判定すると、前記搬送部が前記収納部に仕切り券を搬送することを特徴とする。【選択図】図１
2018206164.tif 000002
【特許請求の範囲】
【請求項１】
入金動作によって入金される媒体を搬送する入金搬送動作を行う搬送部と、
前記搬送部によって搬送された媒体を収納する収納部と、
前記入金搬送動作が終了したか否かと判定する入金終了判定部と、
前記入金終了判定部は、前記入金搬送動作が終了したと判定すると、前記搬送部が前記収納部に仕切り券を搬送することを特徴とする媒体処理装置。
【請求項２】
前記搬送部によって前記収納部に搬送されるべき仕切り券の枚数である仕切り券搬送枚数を判定する枚数判定部と、
を含むことを特徴とする媒体処理装置。
【請求項３】
前記枚数判定部は、前記入金搬送動作の態様に基づいて前記仕切り券搬送枚数を判定することを特徴とする請求項２に記載の媒体処理装置。
【請求項４】
前記枚数判定部は、前記入金搬送動作において媒体が搬送された前記収納部の数に基づいて前記仕切り券搬送枚数を判定することを特徴とする請求項３に記載の媒体処理装置。
【請求項５】
前記枚数判定部は、前記収納部の数に基づいて前記仕切り券搬送枚数を判定することを特徴とする請求項２に記載の媒体処理装置。
【請求項６】
前記枚数判定部は、前記収納部の各々の状態に基づいて前記仕切り券搬送枚数を判定することを特徴とする請求項２に記載の媒体処理装置。
【請求項７】
前記枚数判定部は、前記入金搬送動作の終了時の前記収納部の各々の状態に基づいて前記仕切り券搬送枚数を判定することを特徴とする請求項６に記載の媒体処理装置。
【請求項８】
前記仕切り券が投入される入金口を有し、前記搬送部は、前記入金口に投入された仕切り券のうち前記仕切り券搬送枚数の仕切り券のみを搬送することを特徴とする請求項２乃至７のいずれか１つに記載の媒体処理装置。
【請求項９】
前記仕切り券が投入される入金口及び前記仕切り券が排出される出金口を有し、前記搬送部は、前記入金口に投入された仕切り券のうち前記仕切り券搬送枚数を超える分の仕切り券を前記出金口に搬送することを特徴とする請求項２乃至７のいずれか１つに記載の媒体処理装置。
【請求項１０】
前記搬送部によって送り出し可能に前記仕切り券を収納する仕切り券収納部を有することを特徴とする請求項１乃至９のいずれか１つに記載の媒体処理装置。
【発明の詳細な説明】
【技術分野】
【０００１】
本発明は、現金処理装置に関する。
【背景技術】
【０００２】
銀行または郵便局等の金融機関から回収された紙幣が集約される現金センター、または金融機関の本店等には、回収された現金を計数しつつ格納するＴＣＲ（Teller Cash Recycler）等の現金処理装置が用いられている。
【先行技術文献】
【特許文献】
【０００３】
【特許文献１】特開２００１−９３０２２号公報
【発明の概要】
【発明が解決しようとする課題】
【０００４】
例えば、特許文献１には、紙幣の入金／出金取引、および整理計数等に利用可能な現金処理装置が開示されている。また、現金処理装置において、複数の紙幣収納用のカセット（以下、紙幣カセットともいう）が備えられていることが開示されている。
【０００５】
紙幣の入金及び整理計数等を行う現金処理装置を、上記した現金センター等で使用する場合、様々な金融機関からの紙幣が、同一の紙幣カセットに格納され得る。この場合、単に紙幣を紙幣カセットに格納してしまうと、格納後に一見して、どの紙幣がどの銀行から回収された紙幣なのかを判別することが困難であるという問題が一例としてあげられる。
【０００６】
本発明は、上述の点に鑑みてなされたものであり、様々な出所から回収されて格納される紙幣を、その格納後においていずれの紙幣がいずれの出所から回収された紙幣かを容易に判別可能ように格納可能な現金処理装置を提供することを目的とする。
【課題を解決するための手段】
【０００７】
本発明の現金処理装置は、入金動作によって入金される媒体を搬送する入金搬送動作を行う搬送部と、前記搬送部によって搬送された媒体を収納する収納部と、前記入金搬送動作が終了したか否かと判定する入金終了判定部と、前記入金終了判定部は、前記入金搬送動作が終了したと判定すると、前記搬送部が前記収納部に仕切り券を搬送することを特徴とする。
【図面の簡単な説明】
【０００８】
【図１】本発明の実施例である現金処理装置の構成を示す構成図である。
【図２】仕切り券の一例を示す斜視図である。
【図３】複数回の紙幣入金処理を経た後のカセット内の様子を示す図である。
【図４】本発明の実施例１の現金処理装置における入金処理ルーチンの一例である。
【図５】本発明の実施例１の現金処理装置における仕切り券収納ルーチンの一例である。
【図６】複数回の紙幣入金処理を経た後のカセット内の様子を示す図である。
【図７】変形例の仕切り券収納ルーチンである。
【図８】変形例の仕切り券収納ルーチンである。
【発明を実施するための形態】
【０００９】
以下に、本発明の現金処理装置を、銀行の支店または郵便局に設置される現金出納機を例に説明する。
【実施例１】
【００１０】
以下に、本発明の実施例１の現金処理装置について添付の図面を参照しつつ説明する。
［現金処理装置の内部構成］
図１は、実施例１の現金処理装置１０の内部構成を示す構成図である。以下の説明において、媒体処理装置としての現金処理装置１０は、例えば、ＴＣＲ（Teller Cash Recycler）等の、オペレータによる操作に基づいて金銭の取引を実行する端末であってもよい。以下の説明においては、現金処理装置１０が、現金センターに設置されている場合を例に説明する。
【００１１】
入金口１０１は、売上入金の際に、オペレータによって紙幣が投入される開口部ＯＰ１を有する投入口である。入金口１０１には、開口部ＯＰ１を開閉するシャッタＳＨ１が設けられている。
【００１２】
入金口１０１には、入金口１０１に紙幣が存在しているか否かを検出する紙幣検出センサ（図示せず）が設けられている。なお、入金口１０１には、現金処理装置１０内に紙幣が収納される際に、紙幣同士の仕切りとすることが可能な仕切り券も投入可能である。また、入金口１０１に設けられる紙幣検出センサは、当該仕切り券が入金口に存在していることも検出可能である。
【００１３】
図２は、上述の仕切り券の一例を示す図である。仕切り券ＳＰは、現金処理装置１０の入金口１０１に入金されて現金処理装置１０内に収納される紙幣と同様の形状を有している。仕切り券ＳＰは、図２に示すように、例えばＡ〜Ｚ、１〜９等のアルファベットまたは数字を含む記号（以下単に、記号と称する）が記載されている領域である記号記載領域ＳＲを有している。例えば、仕切り券ＳＰは、記号記載領域ＳＲに記載されている記号によって互いに区別可能であってもよい。
【００１４】
再度図１を参照する。出金口１０３は、オペレータが受け取る紙幣が排出される開口部ＯＰ２を有する排出口である。出金口１０３からは、例えば、売上入金の取り消しが行なわれたときに返却される紙幣、出金する出金紙幣、リジェクトされた入金リジェクト紙幣が出金（排出）される。出金口１０３には、開口部ＯＰ２を開閉するシャッタＳＨ２が設けられている。出金口１０３には、出金口１０３に紙幣が存在しているか否かを検出する紙幣検出センサ（図示せず）が設けられている。
【００１５】
なお、出金口１０３は、上述の仕切り券ＳＰも排出可能である。また、出金口１０３に設けられ紙幣検出センサは、当該仕切り券ＳＰが出金口１０３に存在していることも検出可能である。
【００１６】
一時保留部１０５は、入金口１０１から取り込まれた紙幣または出金口１０３へ排出される紙幣が一時的に集積、滞留される領域である。一時保留部１０５には、例えば、入金紙幣計数時等に、一時的に紙幣を集積、滞留させることができる。また、一時保留部１０５には、上述した仕切り券ＳＰも集積、滞留させることが可能である。
【００１７】
紙幣収納部１０７は、紙幣を収納する複数のカセットを含む部分である。紙幣収納部１０７は、入金口１０１から投入された紙幣を金種毎に収納可能であり、紙幣の収納及び分離の両方の機能を有する収納庫であるリサイクルカセット１０７Ａ〜１０７Ｅを含む。出金口１０７から紙幣が出金される場合、リサイクルカセット１０７Ａ〜１０７Ｅに収納されている紙幣が、出金口１０３に搬送されて出金される。
【００１８】
また、紙幣収納部１０７は、入金口１０１に投入された紙幣が偽券または損券だった場合に、当該偽券または損券が入れられるリジェクト（ＲＪ）カセット１０７Ｆを含んでいる。なお、リサイクルカセット１０７Ａ〜１０７Ｅ及びリジェクトカセット１０７Ｆは、通常時には施錠されており、収納されている紙幣の抜き取りが防止される。
【００１９】
また、リサイクルカセット１０７Ａ〜１０７Ｅ及びリジェクトカセット１０７Ｆは、現金処理装置１０に対して着脱可能な構造になっていてよい。以下、説明において、リサイクルカセット１０７Ａ〜１０７Ｅ及びリジェクトカセット１０７Ｆを単にカセットと称する場合がある。
【００２０】
搬送部１０９（図中破線）は、ローラ等によって紙幣を送る機構を含んでおり、入金口１０１及び出金口１０３と、一時保留部１０５、及び紙幣収納部１０７の各カセットとの間で紙幣を搬送可能に設けられている。なお、搬送部１０９は、上述した仕切り券ＳＰを搬送することも可能である。すなわち、搬送部１０９は、紙幣及び仕切り券ＳＰを含む媒体を搬送可能である。
【００２１】
紙幣鑑別部１１１は、搬送部１０９の一部に設けられており、現金処理装置１０内を搬送される紙幣が正券・偽券であるか、紙幣が損券であるか、紙幣が表面・裏面であるか等の紙幣の状態を鑑別するものである。
【００２２】
紙幣識別部１１１は、例えば、入金時に一時保留部１０５からリサイクルカセット１０７Ａ〜１０７Ｅ及びリジェクトカセット１０７Ｆに搬送される紙幣を鑑別する。また、紙幣鑑別部１１１は、出金時にリサイクルカセット１０７Ａ〜１０７Ｅ及びリジェクトカセット１０７Ｆから一時保留部１０５に搬送される紙幣を鑑別する。
【００２３】
入金時において、紙幣鑑別部１１１による鑑別結果に応じて、正券の紙幣はリサイクルカセット１０７Ａ〜１０７Ｅに搬送される。また、紙幣鑑別部１１１により損券等であると判断された紙幣は、リジェクトカセット１０７Ｆに搬送される。
【００２４】
処理制御部１１３は、現金処理装置１０の機能を実行する処理部又は装置である。処理制御部１１３は、例えば、ＣＰＵ、記憶部（例えば、ＲＯＭ、ＲＡＭ、ＥＥＰＲＯＭ等）、入出力インタフェース部等を有する回路で構成されるものであり、いわゆるソフトウェア処理により、各種機能が実現される。
【００２５】
処理制御部１１３は、例えば、入金口１０１及び出金口１０３と、紙幣一時保留部１０５及び紙幣収納部１０７の各カセットとの間での紙幣の搬送または上述した仕切り券の搬送を搬送部１０９に行わせる。また、処理制御部１１３は、オペレータが現金処理装置１０に入金を行う入金処理が終了したか否かを判定する。
【００２６】
また、処理制御部１１３は、搬送部１０９が、当該入金処理によって入金された紙幣を紙幣収納部１０７に搬送する動作である入金搬送動作としての紙幣搬送動作が終了したか否かを判定する。また、処理制御部１１３は、入金処理時における搬送部１０９による紙幣の搬送態様、例えば、搬送部１０９によってどのカセットに紙幣が搬送されたか等を記憶可能である。
【００２７】
入力受付部としての操作表示部１１５は、処理制御部１１３によって制御され、例えば、取引の際に、オペレータ等の操作を受け付ける操作手段、現金処理装置１０の状態等を表示する表示手段である。操作表示部１１５は、例えば、ＬＣＤ（Liquid Crystal Display）、タッチパネル、テンキー等から構成されているものである。
【００２８】
実施例１の現金処理装置１０においては、例えば、オペレータから操作表示部１１５への入力によって、紙幣入金処理が開始される。紙幣入金処理の開始時に、入金口１０１のシャッタＳＨ１が開放されて、オペレータが入金口１０１に紙幣を投入する。その後、例えば、搬送部１０９によって、入金口１０１から紙幣収納部１０７へ紙幣が搬送され、入金口１０１に投入された紙幣が全て紙幣収納部１０７に搬送されると、処理制御部１１３は紙幣入金処理が終わったと判定する。なお、紙幣入金処理の終了の判定は、オペレータからの所定の入力操作に基づいてなされてもよい。
【００２９】
処理制御部１１３は、紙幣入金処理が終わったと判定すると、オペレータに仕切り券を入金口１０１に投入するように促す。オペレータが仕切り券を入金口１０１に投入すると、処理制御部１１３は、搬送部１０９に当該仕切り券を紙幣収納部１０７のリサイクルカセット１０７Ａ〜１０７Ｅ及びリジェクトカセット１０７Ｆの各々に搬送させ、当該仕切り券がリサイクルカセット１０７Ａ〜１０７Ｅ及びリジェクトカセット１０７Ｆの各々に収納される。
【００３０】
なお、オペレータが必要な枚数以上の仕切り券ＳＰを入金口１０１に投入した場合には、投入された全ての仕切り券ＳＰを入金口１０１から一旦引き込んで搬送し、余った仕切り券ＳＰを出金口１０３から排出してもよい。また、入金口１０１に投入された仕切り券ＳＰのうち必要数だけを引き込んで搬送して、余った仕切り券ＳＰを入金口１０１に残留させることとしてもよい。
【００３１】
図３に、複数回の紙幣入金処理を経た後のリサイクルカセット１０７Ａ〜１０７Ｅのうちの１つのカセット内の様子を示す。図３には、一例として４回の紙幣入金処理を経たカセット内の様子を示している。図３において、１回目の紙幣入金処理によって入金された紙幣群をＢＬ１、２回目、３回目及び４回目の紙幣入金処理によって入金された紙幣群をそれぞれＢＬ２、ＢＬ３及びＢＬ４とする。
【００３２】
現金処理装置１０においては、上述のように、紙幣入金処理の終了毎に各カセット１０７Ａ〜１０７Ｆに仕切り券が収納される。従って、図３に示すように、紙幣群Ｂ１、Ｂ２、Ｂ３及びＢ４の間の各々には、仕切り券ＳＰが挟まれることとなる。すなわち、１の紙幣入金処理において入金された紙幣と当該１の紙幣入金処理の次の紙幣入金処理において入金された紙幣との間に仕切り券ＳＰが挿入されることとなる。
【００３３】
このようにすることで、実施例１の現金処理装置１０においては、複数回の紙幣入金処理によって入金された紙幣が、いずれの入金処理において入金されたかを視覚的または機械的に容易に判別可能とすることが可能となる。さらには、様々な出所から回収されて格納される紙幣を、その格納後において、いずれの紙幣がいずれの出所から回収された紙幣かを容易に判別可能なように格納可能である。
【００３４】
［処理制御部において実行されるルーチン］
以下、処理制御部１１３において実行されるルーチン例について説明する。
（入金処理ルーチンＲ１）
以下、図４を参照して、処理制御部１１３において実行される入金処理ルーチンＲ１について説明する。入金処理ルーチンとは、例えば、オペレータが、各銀行から回収された紙幣を、回収元の銀行毎に現金処理装置１０に入金する場合に実行されるルーチンである。入金処理ルーチンＲ１は、例えば、現金処理装置１０に電源が投入されると開始する。
【００３５】
入金処理ルーチンＲ１が開始されると、処理制御部１１３は、入金開始操作が受け付けられたか否かを判定する（ステップＳ１）。この判定は、例えば、操作表示部１１５が、オペレータから入金を希望することを示す所定の入力を受け付けたか否かによって行われてもよい。
【００３６】
ステップＳ１において、入金開始操作が受け付けられていないと判定される（ステップＳ１：ＮＯ）と、ルーチンＲ１は終了する。入金開始操作が受け付けられたと判定される（ステップＳ１：ＹＥＳ）と、処理制御部１１３は、入金口１０１のシャッタＳＨ１を開放させる（ステップＳ２）。すなわち、オペレータによる入金口１０１への紙幣の投入が可能となる。
【００３７】
ステップＳ２の終了後、処理制御部１１３は、搬送部１０９に入金搬送動作としての紙幣搬送動作を実行させる（ステップＳ３）。この紙幣搬送動作が実行されると、搬送部１０９は、入金口１０１に投入された紙幣を、金種毎に対応したリサイクルカセット１０７Ａ〜１０７Ｅに搬送して収納する。
【００３８】
ステップＳ３の終了後、処理制御部１１３は、入金が終了したか否かを判定する（ステップＳ４）。この判定は、例えば、操作表示部１１５が、オペレータから入金の終了を希望することを示す所定の入力を受け付けたか否かによって行われてもよい。また、入金口１０１に対して一定時間紙幣の投入が行われなかったことをして、入金が終了したと判定してもよい。
【００３９】
ステップＳ４において、入金が終了していないと判定される（ステップＳ４：ＮＯ）と、再度ステップＳ３が実行されて、紙幣搬送動作の実行が継続される。ステップＳ４において、入金が終了したと判定される（ステップＳ４：ＹＥＳ）と、処理制御部１１３は、入金口１０１のシャッタＳＨ１を閉鎖させる（ステップＳ５）。なお、入金口シャッタの開放（ステップＳ２）から入金口シャッタの閉鎖（ステップＳ５）までの一連のステップでなされる動作を入金動作としてもよい。
【００４０】
ステップＳ５の終了後、処理制御部１１３は、搬送部１０９による紙幣搬送動作が終了したか否かを判定する（ステップＳ６）。この判定は、オペレータによって入金口１０１に投入された紙幣の全てが、搬送部１０９によって、紙幣収納部１０７のリサイクルカセット１０７Ａ〜１０７Ｅまたはリジェクトカセット１０７Ｆのいずれかに搬送されたか否かによって判定されてもよい。ステップＳ６において、処理制御部１１３は、入金終了判定部として機能する。
【００４１】
ステップＳ６において、搬送動作が終了していないと判定される（ステップＳ６：ＮＯ）と、処理制御部１１３は、所定時間を置いて再度ステップＳ６を実行して搬送動作が終了したかを再度判定する。
【００４２】
ステップＳ６において、搬送動作が終了したと判定される（ステップＳ６：ＹＥＳ）、処理制御部１１３は、仕切り券収納ルーチンを実行する（ステップＳ７）。この仕切り券収納ルーチンによって、各カセット１０７Ａ〜１０７Ｅ及びリジェクトカセット１０７Ｆに仕切り券が収納される。ステップＳ７の終了後、処理制御部１１３は、操作表示部１１５に入金終了通知をさせて、入金処理ルーチンＲ１が終了する。
【００４３】
（仕切り券収納ルーチン）
以下、図５を参照して、処理制御部１１３において実行される仕切り券収納ルーチンＲ２について説明する。仕切り券収納ルーチンとは、例えば、現金処理装置１０へのオペレータの入金処理が終了すると、紙幣収納部１０７の各リサイクルカセット１０７Ａ〜１０７Ｅ及びリジェクトカセット１０７Ｆに仕切り券ＳＰ（図２参照）を収納するために実行されるルーチンである。具体的には、処理ルーチンＲ１において、処理制御部１１３が紙幣搬送動作が終了したと判定する（Ｒ１のステップＳ６：ＹＥＳ）と実行される。
【００４４】
仕切り券収納ルーチンＲ２が開始されると、処理制御部１１３は、現金処理装置１０の収納部１０７において取り付けられているリサイクルカセット１０７Ａ〜１０７Ｅ及びリジェクトカセット１０７Ｆの数を検出する（ステップＳ１）。上述のように、リサイクルカセット１０７Ａ〜１０７Ｅ及びリジェクトカセット１０７Ｆは着脱可能であるので、取り付けられていないカセットも存在し得る。
【００４５】
従って、紙幣搬送動作が終了して仕切り券収納ルーチンＲ２が開始する際に取り付けられているリサイクルカセット１０７Ａ〜１０７Ｅ及びリジェクトカセット１０７Ｆの数、すなわち仕切り券ＳＰを収納するカセットの数の確認のためにステップＳ１が実行される。
【００４６】
ステップＳ１が終了すると、処理制御部１１３は、操作表示部１１５に、カセットに搬送されるべき仕切り券の枚数、すなわち必要な仕切り券ＳＰの数を告知させる（ステップＳ２）。この告知は、例えば、操作表示部１１５に、必要な仕切り券の数、すなわち現金処理装置１０に取り付けられているカセットの数を含む表示を行わせることでなされてもよい。このステップＳ１及びステップＳ２において、処理制御部１１３は、枚数判定部として機能する。
【００４７】
ステップＳ２が終了すると、処理制御部１１３は、入金口１０１のシャッタＳＨ１を開放させる（ステップＳ３）。すなわち、オペレータによる入金口１０１への仕切り券ＳＰの投入が可能となる。
【００４８】
ステップＳ３が終了すると、処理制御部１１３は、入金口１０１に仕切り券ＳＰが投入されたか否かを判定する（ステップＳ４）。この判定は、入金口１０１に設けられている紙幣検出センサ（図示せず）によって、仕切り券ＳＰの存在が検出されるか否かで実行されてもよい。
【００４９】
ステップＳ４において、仕切り券ＳＰが投入されていないと判定される（ステップＳ４：ＮＯ）と、処理制御部１１３は、一定時間を置いて再度ステップＳ４を実行し、再度仕切り券ＳＰが投入されているか否かを判定する。
【００５０】
ステップＳ４において、仕切り券ＳＰが投入されていると判定される（ステップＳ４：ＹＥＳ）と、処理制御部１１３は、入金口１０１のシャッタＳＨ１を閉鎖させる（ステップＳ５）。ステップＳ５が終了すると、処理制御部１１３は、搬送部１０９をして、入金口１０１から各リサイクルカセット１０７Ａ〜１０７Ｅ及びリジェクトカセット１０７Ｆの各々に仕切り券ＳＰを搬送させる（ステップＳ６）。
【００５１】
この仕切り券ＳＰの搬送によって、各カセット１０７Ａ〜１０７Ｆに仕切り券ＳＰが収納される。すなわち、各カセット１０７Ａ〜１０７Ｆにおいて重ねられて収納されている紙幣のうちの一番上に配されている紙幣の上に仕切り券ＳＰが収納される。
【００５２】
なお、ステップＳ６において、オペレータが必要な枚数以上の仕切り券ＳＰを入金口１０１に投入していた場合には、投入された全ての仕切り券ＳＰを入金口１０１から一旦引き込んで搬送し、余った仕切り券ＳＰを出金口１０３から排出することとしてもよい。すなわち、搬送部１０９が、入金口１０１に投入された仕切り券ＳＰのうち、必要な枚数を超える分の仕切り券ＳＰを出金口１０３に搬送し、当該搬送された仕切り券ＳＰが出金口１０３から排出されることとしてもよい。
【００５３】
また、入金口１０１に投入された仕切り券ＳＰのうち必要数だけを引き込んで搬送して、余った仕切り券ＳＰを入金口１０１に残留させることとしてもよい。すなわち、入金口１０１に投入された仕切り券ＳＰのうち、必要な枚数の仕切り券ＳＰのみが搬送部１０９によって搬送されることとしもよい。
【００５４】
ステップＳ６が終了すると、処理制御部１１３は、仕切り券ＳＰが不足しているか否かを判定する（ステップＳ７）。この判定は、ステップＳ６における仕切り券ＳＰの搬送において、各カセット１０７Ａ〜１０７Ｆの全てに仕切り券が搬送されたか否かで判定される。また、例えば、この判定は、ステップＳ４において、仕切り券ＳＰが投入されたと判定された際に、入金口１０１内の紙幣検出センサ（図示せず）によって計数された入金口１０１内の仕切り券ＳＰの枚数がステップＳ１で検出されたカセットの数未満か否かで行われてもよい。
【００５５】
また、この判定は、ステップＳ６における仕切り券ＳＰの搬送において、紙幣鑑別部１１１によって認識された仕切り券ＳＰの枚数がステップＳ１で検出されたカセットの数未満か否かで行われてもよい。
【００５６】
ステップＳ７において、仕切り券ＳＰが不足していないと判定される（ステップＳ７：ＮＯ）と、その後、仕切り券収納ルーチンは終了する。ステップＳ７において、仕切り券ＳＰが不足していると判定される（ステップＳ７：ＹＥＳ）と、処理制御部１１３は、操作表示部１１５に不足している仕切り券ＳＰの数、例えば、カセット数から投入された仕切り券ＳＰの数を引いた数を告知させる（ステップＳ８）。
【００５７】
ステップＳ８が終了すると、処理制御部１１３は、仕切り券ＳＰの各カセット１０７Ａ〜１０７Ｆへの収納の処理を中断するか否かを判定する（ステップＳ９）。この判定は、操作表示部１１５において、仕切り券ＳＰの収納の処理を中断するか否かの選択画面を表示し、オペレータからの仕切り券ＳＰの収納の処理を中断の意思を示す所定の選択入力、例えば中止ボタンへのタッチを受け付けたか否かを判定することで行われてもよい。
【００５８】
ステップＳ９において仕切り券処理を中断すると判定される（ステップＳ９：ＹＥＳ）と、その後、仕切り券収納ルーチンは終了する。ステップＳ９において、仕切り券処理を中断しない、すなわち仕切り券処理を継続すると判定されると、処理制御部１１３は、再度ステップＳ３を実行し、入金口１０１のシャッタＳＨ１を開放して、オペレータからの仕切り券ＳＰの投入を待機する。
【００５９】
図６に、仕切り券収納ルーチンＲ２の終了後のリサイクルカセット１０７Ａ〜１０７Ｅの各々のカセット内の状態の一例を示す。図６には、一例として３回の入金処理後、すなわち入金処理ルーチンＲ１を３回実行した後のリサイクルカセット１０７Ａ〜１０７Ｅの状態を示している。
【００６０】
図６に示しているように、リサイクルカセット１０７Ａ〜１０７Ｅ内において、３回の入金処理の各々において入金された紙幣群ＢＬ１〜ＢＬ３の各々の上に仕切り券ＳＰ１〜ＳＰ３が収納されている。すなわち、順次的に行われた入金によって収納された紙幣群ＢＬ１〜ＢＬ３が、入金処理毎に仕切り券ＳＰ１〜ＳＰ３によって物理的に仕切られた状態になっている。なお、図６のリサイクルカセット１０７Ｃのように、１の入金処理において紙幣が収納されなかったカセットがある場合には、当該カセット内において仕切り券が重なって収納されてもよい。
【００６１】
このように紙幣群ＢＬ１〜３の各々の上に仕切り券ＳＰ１〜３が収納されることによって、紙幣群ＢＬの各々がいずれの入金処理においてカセット内に収納されたかが容易に判別可能となる。具体的には、図６の例においては、各カセット１０７Ａ〜１０７Ｅの一番下にある仕切り券ＳＰ１の下にある紙幣群ＢＬ１は、一回目の入金処理において収納されたことが容易にわかる。また、ＳＰ１と下から二番目の仕切り券ＳＰ２の間にある紙幣群ＢＬ２は、二回目の入金処理によって収納されたことが容易にわかる。また、ＳＰ２と一番上の仕切り券ＳＰ３の間にある紙幣群ＢＬ３は、三回目の入金処理によって収納されたことが容易にわかる。
【００６２】
このように、実施例１の現金処理装置１０においては、複数の紙幣入金処理後のリサイクルカセット１０７Ａ〜１０７Ｅにおいて、複数回の紙幣入金処理によって入金された紙幣群の各々の間に、仕切り券ＳＰが挟まれることとなる。このことにより、いずれの紙幣がいずれの入金処理において入金されたかを視覚的または機械的に容易に判別可能とすることが可能となる。さらには、様々な出所から回収されて格納される紙幣を、その格納後において、いずれの紙幣がいずれの出所から回収された紙幣かを容易に判別可能ように収納可能である。
【００６３】
［変形例１］
以下に、現金処理装置１０において実行される仕切り券収納ルーチンの変形例１について説明する。上述の例においては、仕切り券収納ルーチンの開始時に現金処理装置１０に取り付けられているカセットの数を検出し、当該検出されたカセットに基づいて必要な仕切り券の数を判定することとした。そして、当該検出された全てに仕切り券を収納することとした。
【００６４】
しかし、仕切り券収納ルーチンの開始時に入金処理において実行された紙幣搬送動作の態様を読み出し、当該紙幣搬送動作の態様に基づいて仕切り券が搬送されて収納されるべきカセットの数、すなわち必要な仕切り券の数を判定してもよい。そして、当該仕切り券の収納が必要なカセットのみに仕切り券を収納することしてもよい。
【００６５】
図７に、カセットの各々の状態に基づいて必要な仕切り券を判定する場合の仕切り券収納ルーチンの一例である仕切り券収納ルーチンＲ３を示す。仕切り券収納ルーチンＲ３は、処理ルーチンＲ１において、処理制御部１１３が紙幣搬送動作が終了したと判定する（Ｒ１のステップＳ６：ＹＥＳ）と実行される。
【００６６】
仕切り券収納ルーチンＲ３が開始されると、処理制御部１１３は、入金処理ルーチンＲ１によって実行された紙幣搬送動作の態様を読み出す（ステップＳ０）。紙幣搬送動作の態様とは、具体的には、例えば、カセット毎に、入金処理において紙幣の搬送が有ったか否か等の内容であってもよい。この紙幣搬送動作の態様は、入金処理ルーチンＲ１における紙幣搬送動作終了時点（ステップＳ７の開始前）において保存されていてもよい。
【００６７】
ステップＳ０が終了すると、処理制御部１１３は、読み出された紙幣搬送動作の態様に基づいて、仕切り券ＳＰを搬送すべきカセットを特定する（ステップＳ１）。すなわち、カセットに搬送されるべき仕切り券の枚数である必要な仕切り券ＳＰの数が特定される。この仕切り券ＳＰを搬送すべきカセットは、例えば、紙幣搬送動作において紙幣が搬送されたカセットのみとしてもよい。このステップＳ１において、処理制御部１１３は、枚数判定部として機能する。
【００６８】
ステップＳ１が終了すると、処理制御部１１３は、操作表示部１１５に必要な仕切り券ＳＰの数を告知させる（ステップＳ２）。この告知は、例えば、操作表示部１１５に、必要な仕切り券の数、すなわち紙幣搬送動作において紙幣が搬送されたカセットの数を含む表示を行わせることでなされてもよい。このステップＳ１及びステップＳ２において、処理制御部１１３は、枚数判定部として機能する。
【００６９】
ステップＳ２が終了すると、処理制御部１１３は、入金口１０１のシャッタＳＨ１を開放させる（ステップＳ３）。すなわち、オペレータによる入金口１０１への仕切り券ＳＰの投入が可能となる。
【００７０】
ステップＳ３以降の処理は、仕切り券収納ルーチンＲ２と同様であるので説明を省略する。なお、仕切り券収納ルーチンＲ３によって仕切り券搬送処理を行う場合には、入金処理に毎に区別可能な仕切り券を使用することが好ましい。例えば、入金処理毎に記号記載領域ＳＲに異なった記号が記載された仕切り券が使用されることが好ましい。また、入金処理毎に、記号記載領域ＳＲに、入金される紙幣の回収元の銀行名の記載された仕切り券が使用されることが好ましい。
【００７１】
［変形例２］
以下に、現金処理装置１０において実行される仕切り券収納ルーチンの変形例２について説明する。上述の例においては、仕切り券収納ルーチンの開始時に現金処理装置１０に取り付けられているカセットの数を検出し、当該検出されたカセットに基づいて必要な仕切り券の数を判定することとした。そして、当該検出された全てに仕切り券を収納することとした。
【００７２】
しかし、仕切り券収納ルーチンの開始時に現金処理装置１０に取り付けられているカセットの状態を検出し、当該検出されたカセットの各々の状態に基づいて仕切り券の収納が必要なカセットの数、すなわち必要な仕切り券の数を判定してもよい。そして、当該仕切り券の収納が必要なカセットのみに仕切り券を収納することしてもよい。
【００７３】
図８に、カセットの各々の状態に基づいて必要な仕切り券を判定する場合の仕切り券収納ルーチンの一例である仕切り券収納ルーチンＲ４を示す。仕切り券収納ルーチンＲ４は、処理ルーチンＲ１において、処理制御部１１３が紙幣搬送動作が終了したと判定する（Ｒ１のステップＳ６：ＹＥＳ）と実行される。
【００７４】
仕切り券収納ルーチンＲ４が開始されると、処理制御部１１３は、現金処理装置１０の収納部１０７に取り付けられているリサイクルカセット１０７Ａ〜１０７Ｅ及びリジェクトカセット１０７Ｆの状態を検出する（ステップＳ０）。このカセットの状態の検出においては、カセットの各々について、例えばカセットが満杯か否かを検出する。
【００７５】
ステップＳ０が終了すると、処理制御部１１３は、カセットの各々状態に基づいて、仕切り券ＳＰを搬送すべきカセットを特定する（ステップＳ１）。すなわち、カセットに搬送されるべき仕切り券の枚数である必要な仕切り券ＳＰの数が特定される。この仕切り券ＳＰを搬送すべきカセットは、例えば、まだ紙幣が収納可能である、すなわち満杯となっていないカセットのみとしてもよい。このステップＳ１において、処理制御部１１３は、枚数判定部として機能する。
【００７６】
ステップＳ１が終了すると、処理制御部１１３は、操作表示部１１５に必要な仕切り券ＳＰの数を告知させる（ステップＳ２）。この告知は、例えば、操作表示部１１５に、必要な仕切り券の数、すなわち紙幣搬送動作後において満杯となっていないカセットの数を含む表示を行わせることでなされてもよい。
【００７７】
ステップＳ２が終了すると、処理制御部１１３は、入金口１０１のシャッタＳＨ１を開放させる（ステップＳ３）。すなわち、オペレータによる入金口１０１への仕切り券ＳＰの投入が可能となる。ステップＳ３以降の処理は、仕切り券収納ルーチンＲ２と同様であるので説明を省略する。
【００７８】
上記例においては、現金搬送動作（ステップＳ６：ＹＥＳ）の終了後に、必要な仕切り券の数を告知して仕切り券の投入を促すこととしたが、必要な仕切り券の数の告知のタイミング及び仕切り券の投入を促すタイミングは、異なったタイミングであってもよい。
【００７９】
例えば、入金ルーチンの開始時に、前回に実行された入金ルーチンにおける入金取引動作の状況に基づいて、必要な仕切り券の数を告知して仕切り券の投入を促すこととしてもよい。また、例えば、入金ルーチンの開始時のカセット１０７Ａ〜１０７Ｆの状況に基づいて、入金ルーチンの開始時に、必要な仕切り券の数を告知して仕切り券の投入を促すこととしてもよい。
【００８０】
上記例においては、仕切り券搬送処理において、オペレータによって入金口１０１に仕切り券ＳＰが投入される例について説明した。しかし、仕切り券ＳＰは、現金処理装置１０内に予め格納されていてもよい。この場合、例えば、仕切り券ＳＰは、現金処理装置１０内の搬送部１０９に接続されている専用の容器内に格納されていてもよい。また、仕切り券ＳＰは、一時保留部１０５内に格納されていてもよい。
【００８１】
また、上記実施例においては、操作表示部１１５がオペレータへ情報を提示しかつオペレータからの操作を受け付けることとした。しかし、現金処理装置１０に外付けのパーソナルコンピュータ（ＰＣ）、タブレットＰＣまたはスマートフォンが優先または無線で接続され、当該ＰＣ等によって、オペレータへ情報が提示されかつオペレータからの操作が受け付けられてもよい。
【００８２】
また、上記例では現金センターに置かれる現金処理装置を例として説明したが、上記構成及びルーチンは小売店やスーパーマーケット等の流通及び商業施設等に設置されるキャッシュレジスタ等、出金及び入金を行う様々な現金処理装置に適用可能である。
【００８３】
上述した実施例における種々の構成、ルーチンは例示に過ぎず、用途等に応じて適宜選択及び変更可能である。
【符号の説明】
【００８４】
１０      現金処理装置
１０１    入金口
１０３    出金口
１０５    一時保留部
１０７    紙幣収納部
１０７Ａ−１０７Ｅ  リサイクルカセット
１０７Ｆ  リジェクトカセット
１０９    搬送部
１１１    紙幣鑑別部
１１３    処理制御部
１１５    操作表示部１１５
ＳＰ      仕切り券
【図１】
2018206164.tif 000003
【図２】
2018206164.tif 000004
【図３】
2018206164.tif 000005
【図４】
2018206164.tif 000006
【図５】
2018206164.tif 000007
【図６】
2018206164.tif 000008
【図７】
2018206164.tif 000009
【図８】
2018206164.tif 000010